(57)【要約】【課題】  仕様の異なる複数種類の光ディスクに対してデータの読み出し及び／又は記録が可能な光ディスク装置において、光ピックアップの小型軽量化及び低コスト化を可能にすると共に、トラッキングエラー信号の検出精度を向上させる。【解決手段】  両面にそれぞれ波長の異なる第１及び第２レーザビームを回折させるための回折格子が形成された１つの光学素子を使用し、２つの半導体レーザから出力された第１及び第２レーザビームを、同じ光学系を利用して光ディスク上に収束させる。各回折格子の格子溝の方向を、光ディスク上において、第１レーザビームの各回折光＋Ｄ１、Ｄ０及び−Ｄ１を結ぶ直線ＬＤが光ディスク上のトラック４０と交差する方向が、第２レーザビームの各回折光＋Ｃ１、Ｃ０、−Ｃ１を結ぶ直線ＬＣが光ディスク上のトラック４０と交差する方向に対して逆になるように設定する。【選択図】図５
2006040316.tif 000002
【特許請求の範囲】
【請求項１】
第１光ディスクに適応する第１波長の第１レーザビームを出力する第１レーザ光源と、
前記第１レーザ光源に対して所定距離だけ離れて略平行に設けられ、前記第１光ディスクとは仕様の異なる第２光ディスクに適応する第２波長の第２レーザビームを出力する第２レーザ光源と、
前記第１レーザ光源から出力された第１レーザビーム又は前記第２レーザ光源から出力された第２レーザビームを回折させ、それぞれ０次回折光によるメインビームと±１次回折光によるサブビームの３つのビームに分離するための回折格子が形成された回折光学素子と、
前記回折光学素子により分離された３つのビームの一部を透過させると共に残りを所定方向に反射させるハーフミラーと、
前記ハーフミラーを透過した又は前記ハーフミラーにより反射された前記３つのビームをそれぞれ平行ビーム化するコリメータレンズと、
前記コリメータレンズによる平行ビームを光ディスクのデータ記録面上に収束させる対物レンズと、
前記光ディスクにより反射され、前記対物レンズ及び前記コリメータレンズにより収束され、さらに前記ハーフミラーにより反射され又は前記ハーフミラーを透過した反射ビームを受光する受光素子を備えた光ピックアップを用いた光ディスク装置において、
前記回折光学素子は、互いに平行な２つの平面を有し、一方の面に第１レーザビームを回折させるための第１回折格子が形成され、他方の面に第２レーザビームを回折させるための第２回折格子が形成され、
前記光ディスク上において、前記第１回折格子により回折された第１レーザビームの＋１次回折光、０次回折光及び−１次回折光を結ぶ直線が前記光ディスク上のトラックと交差する方向が、前記第２回折格子により回折された第２レーザビームの＋１次回折光、０次回折光及び−１次回折光を結ぶ直線が前記光ディスク上のトラックと交差する方向に対して逆になるように、前記第１回折格子及び前記第２回折格子の格子溝の方向が設定され、
前記第１回折格子の格子溝に対して前記第２回折格子の格子溝のなす角度を大きくして、前記第１回折格子による回折光と前記第２回折格子による回折光の干渉の影響を低減し、トラッキングエラー信号の検出精度を高くしたことを特徴とする光ディスク装置。
【請求項２】
仕様の異なる第１光ディスク及び第２光ディスクに対応して、それぞれ波長の異なる第１レーザビーム及び第２レーザビームを出力する光源と、前記第１レーザビーム及び前記第２レーザビームを光ディスク上に収束させると共に、前記光ディスクからの反射ビームを単一の受光部に導くための共通の光学系を備え、
前記光学系は、前記第１レーザビーム及び前記第２レーザビームを、それぞれ０次回折光によるメインビームと±１次回折光によるサブビームの３つのビームに分離するための回折格子が形成された回折光学素子を含む光ピックアップを用いた光ディスク装置において、
前記回折光学素子は、互いに平行な２つの平面を有し、前記光ディスク上において、前記第１回折格子により回折された第１レーザビームの＋１次回折光、０次回折光及び−１次回折光を結ぶ直線が前記光ディスク上のトラックと交差する方向が、前記第２回折格子により回折された第２レーザビームの＋１次回折光、０次回折光及び−１次回折光を結ぶ直線が前記光ディスク上のトラックと交差する方向に対して逆になるように、一方の面に前記第１回折格子画形成され、他方の面に前記第２回折格子が形成されていることを特徴とする光ディスク装置。
【発明の詳細な説明】
【技術分野】
【０００１】
本発明は、光ディスク装置、特にＤＶＤ(Digital Versatile Disc)やＣＤ(Compact Disc)などの仕様の異なる複数種類の光ディスクに対してデータの読み出し及び／又はデータの記録が可能な光ディスク装置に関する。
【背景技術】
【０００２】
ＤＶＤプレーヤやＤＶＤレコーダなどの光ディスク装置では、ＤＶＤ、ＤＶＤ−Ｒ、ＤＶＤ−ＲＷ、ＤＶＤ−ＲＡＭ（以下、「ＤＶＤ」と総称する）だけでなく、ＣＤ、ＣＤ−Ｒ、ＣＤ−ＲＷ（以下、「ＣＤ」と総称する）などの仕様の異なる複数種類の光ディスクに対してもデータの読み出しや記録が可能なように構成されている。
【０００３】
ところで、ＤＶＤとＣＤでは、記録密度の違いに応じて、データの読み出しや記録に用いられるレーザビームの波長が異なる。そのため、それぞれ波長の異なる２つのレーザビームを出力するために２つの半導体レーザ（一体化されたものを含む）が用いられている。一方、光ディスク装置で用いられる光ピックアップの小型軽量化及び低コスト化を目的として、２つの半導体レーザから出力されたレーザビームを、同じ光学系を利用して光ディスク上に収束させることも提案されている（例えば特許文献１〜４参照）。
【０００４】
さらに、これらの光ディスク装置では、トラッキングエラーを検出するために、回折格子を用いてレーザビームを０次回折光及び±１次回折光の３つのビームに分離することが行われている。
【０００５】
特許文献１では、１つの平板状光学素子の両面に、ＤＶＤ用の回折格子とＣＤ用の回折格子をそれぞれ形成している。この方式では、一方の回折格子の格子溝と他方の回折格子の格子溝のなす角度が０．６８度と小さいため、一方の回折格子により回折された光と他方の回折格子により回折された光が干渉する。特に、ＣＤの場合、±１次回折光によるサブビームの強度比が大きくなり、トラッキングエラー信号の誤差が大きくなる。
【０００６】
特許文献２では、±１次回折光によるサブビームによるプッシュプル信号の振幅をほぼ０にするために、回折格子を、レーザビームの一部分に位相差を与えるように、位相シフト回折格子としている。この位相シフト回折格子は、例えば正方形の平板状光学素子を４つの正方形領域に分割し、光学素子の中心（光軸）を中心として対称な位置にある２つの領域の格子溝を他の２つの領域の格子溝に対して１／４ピッチだけずらすように形成されている。ところが、このような複雑な格子溝を有する光学部品を精度良く製造することは困難であり、製造コストが高くなると共に、各領域の境界部分での形状誤差などにより、新たな問題が生じる可能性がある。
【０００７】
特許文献３では、ＤＶＤ用の回折格子でＣＤ用のレーザビームが回折されず、またＣＤ用の回折格子でＤＶＤ用のレーザビームが回折されないようにするために、通常の回折格子よりも格子溝の深さを深くすると共に、回折格子にディユーティ比を０．５からずらした格子形状としている。しかしながら、このような深い格子溝を有する光学部品を精度良く製造することは困難であり、製造コストが高くなると共に、格子溝の形状誤差などにより、新たな問題が生じる可能性がある。
【０００８】
特許文献４では、光学素子の両面にそれぞれ回折格子を設けているが、光源に近い側の回折格子でＤＶＤ用のレーザビームとＣＤ用のレーザビームの両方を回折させ、他方の回折格子で光ディスクからの反射光を再度回折させて、ＤＶＤ用のレーザビームとＣＤ用のレーザビームをそれぞれ異なる位置に設けられた受光部に導いている。このような構成では、受光素子が２組必要になるなど、光ピックアップの小型軽量化及び低コスト化の目的に反することとなる。
【特許文献１】特開２００２−１９０１３３号公報（図８）
【特許文献２】特開２００３−１６２８３１号公報（図３）
【特許文献３】特開２００４−３９１０９号公報（段落００２４）
【特許文献４】特開２００２−２０８１６６号公報（図１）
【発明の開示】
【発明が解決しようとする課題】
【０００９】
本発明は、上記の問題を解決するためになされたものであり、両面にそれぞれ波長の異なる２つのレーザビームを回折させるための回折格子が形成された１つの光学素子を使用し、２つの半導体レーザから出力されたレーザビームを、同じ光学系を利用して光ディスク上に収束させることにより、仕様の異なる複数種類の光ディスクに対してデータの読み出し及び／又は記録が可能な光ディスク装置において、光ピックアップの小型軽量化及び低コスト化を可能にすると共に、２つの回折格子による回折光の干渉の影響を低減し、トラッキングエラー信号の検出精度を向上させることを目的とする。
【課題を解決するための手段】
【００１０】
上記目的を達成するために請求項１の発明は、第１光ディスクに適応する第１波長の第１レーザビームを出力する第１レーザ光源と、前記第１レーザ光源に対して所定距離だけ離れて略平行に設けられ、前記第１光ディスクとは仕様の異なる第２光ディスクに適応する第２波長の第２レーザビームを出力する第２レーザ光源と、前記第１レーザ光源から出力された第１レーザビーム又は前記第２レーザ光源から出力された第２レーザビームを回折させ、それぞれ０次回折光によるメインビームと±１次回折光によるサブビームの３つのビームに分離するための回折格子が形成された回折光学素子と、前記回折光学素子により分離された３つのビームの一部を透過させると共に残りを所定方向に反射させるハーフミラーと、前記ハーフミラーを透過した又は前記ハーフミラーにより反射された前記３つのビームをそれぞれ平行ビーム化するコリメータレンズと、前記コリメータレンズによる平行ビームを光ディスクのデータ記録面上に収束させる対物レンズと、前記光ディスクにより反射され、前記対物レンズ及び前記コリメータレンズにより収束され、さらに前記ハーフミラーにより反射され又は前記ハーフミラーを透過した反射ビームを受光する受光素子を備えた光ピックアップを用いた光ディスク装置において、
前記回折光学素子は、互いに平行な２つの平面を有し、一方の面に第１レーザビームを回折させるための第１回折格子が形成され、他方の面に第２レーザビームを回折させるための第２回折格子が形成され、
前記光ディスク上において、前記第１回折格子により回折された第１レーザビームの＋１次回折光、０次回折光及び−１次回折光を結ぶ直線が前記光ディスク上のトラックと交差する方向が、前記第２回折格子により回折された第２レーザビームの＋１次回折光、０次回折光及び−１次回折光を結ぶ直線が前記光ディスク上のトラックと交差する方向に対して逆になるように、前記第１回折格子及び前記第２回折格子の格子溝の方向が設定され、
前記第１回折格子の格子溝に対して前記第２回折格子の格子溝のなす角度を大きくして、前記第１回折格子による回折光と前記第２回折格子による回折光の干渉の影響を低減し、トラッキングエラー信号の検出精度を高くしたことを特徴とする。
【００１１】
請求項２の発明は、仕様の異なる第１光ディスク及び第２光ディスクに対応して、それぞれ波長の異なる第１レーザビーム及び第２レーザビームを出力する光源と、前記第１レーザビーム及び前記第２レーザビームを光ディスク上に収束させると共に、前記光ディスクからの反射ビームを単一の受光部に導くための共通の光学系を備え、前記光学系は、前記第１レーザビーム及び前記第２レーザビームを、それぞれ０次回折光によるメインビームと±１次回折光によるサブビームの３つのビームに分離するための回折格子が形成された回折光学素子を含む光ピックアップを用いた光ディスク装置において、
前記回折光学素子は、互いに平行な２つの平面を有し、前記光ディスク上において、前記第１回折格子により回折された第１レーザビームの＋１次回折光、０次回折光及び−１次回折光を結ぶ直線が前記光ディスク上のトラックと交差する方向が、前記第２回折格子により回折された第２レーザビームの＋１次回折光、０次回折光及び−１次回折光を結ぶ直線が前記光ディスク上のトラックと交差する方向に対して逆になるように、一方の面に前記第１回折格子が形成され、他方の面に前記第２回折格子が形成されていることを特徴とする。
【発明の効果】
【００１２】
請求項１の発明によれば、回折光学素子の一方の面に第１レーザビームを回折させる第１回折格子を形成し、他方の面に第２レーザビームを回折させる第２回折格子を形成されているので、１つの光学系を用いて波長の異なる第１レーザビーム及び第２レーザビームをそれぞれ対応する第１光ディスク及び第２光ディスク上に収束させ、かつ光ディスクからの反射ビームを受光素子上に収束させることができる。その結果、光ピックアップ及びそれを用いた光ディスク装置の小型軽量化及び低コスト化が可能となる。
【００１３】
さらに、第１回折格子及び第２回折格子の格子溝の方向は、光ディスク上において、第１レーザビームの各回折光を結ぶ直線が光ディスク上のトラックと交差する方向が、第２レーザビームの各回折光を結ぶ直線が光ディスク上のトラックと交差する方向に対して逆になるように設定されている。そのため、第１レーザビームの各回折光を結ぶ直線が光ディスク上のトラックと交差する方向が、第２レーザビームの各回折光を結ぶ直線が光ディスク上のトラックと交差する方向に対して同じになるように、第１回折格子及び第２回折格子の格子溝の方向が設定されている従来例と比較して、第１回折格子の格子溝に対して第２回折格子の格子溝のなす角度を大きくすることができ、第１回折格子による回折光と第２回折格子による回折光の干渉の影響を低減することができる。その結果、トラッキングエラー信号の検出精度を高くすることができる。
【００１４】
請求項２の発明によれば、共通の光学系を用いて、それぞれ波長の異なる第１レーザビーム及び第２レーザビームを光ディスク上に収束させると共に、光ディスクからの反射ビームを単一の受光部に導くことができ、光ピックアップの小型軽量化及び低コスト化が可能となる。さらに、光学系は、第１レーザビーム及び第２レーザビームを、それぞれ０次回折光によるメインビームと±１次回折光によるサブビームの３つのビームに分離するための回折格子が形成された回折光学素子を含み、光ディスク上において、第１レーザビームの各回折光を結ぶ直線が光ディスク上のトラックと交差する方向が、第２レーザビームの各回折光を結ぶ直線が光ディスク上のトラックと交差する方向に対して逆になるように、方角素子の一方の面に第１回折格子が形成され、他方の面に第２回折格子が形成されているので、従来例と比較して、第１回折格子による回折光と第２回折格子による回折光の干渉の影響を低減することができ、トラッキングエラー信号の検出精度を高くすることができる。
【発明を実施するための最良の形態】
【００１５】
本発明の一実施の形態に係る光ディスク装置及びそれに用いられる光ピックアップについて説明する。本実施の形態に係る光ディスク装置１の構成を図１に示す。光ディスク装置１は、光ディスク２が載置されるテーブル３と、テーブル３及びその上に載置された光ディスク２を回転駆動させるスピンドルモータ４と、光ディスク２のデータ記録面にレーザビームを照射させて光ディスクに記録されているデータを読み出し及び／又は光ディスクにデータを記録する光ピックアップ５と、光ピックアップ５を光ディスク２の半径方向に移動させるための光ピックアップ駆動機構６と、スピンドルモータ４、光ピックアップ５及び光ピックアップ駆動機構６を制御するための制御部７などで構成されている。
【００１６】
光ディスク装置１は、例えばＤＶＤレコーダであり、再生専用のＤＶＤ（ＲＯＭ）及びＣＤ（ＲＯＭ）からデータを読み出すと共に、記録可能なＤＶＤ−Ｄ、ＤＶＤ−ＲＷ、ＤＶＤ−ＲＡＭ、ＣＤ−Ｒ、ＣＤ−ＲＷなどに対してデータの読み出し及び記録が可能である。以下の説明では、ＤＶＤ、ＤＶＤ−Ｒ、ＤＶＤ−ＲＷ、ＤＶＤ−ＲＡＭなどを「ＤＶＤ」と総称し、ＣＤ、ＣＤ−Ｒ、ＣＤ−ＲＷなどを「ＣＤ」と総称する。
【００１７】
光ディスク装置１における光ピックアップ５の構成を図２に示す。光ピックアップ５は、ＤＶＤ（第１光ディスク）に適応する波長６６０ｎｍ（第１波長）の第１レーザビームを出力する第１レーザ光源５１と、ＣＤ（第２光ディスク）に適応する波長７９７ｎｍ（第２波長）の第２レーザビームを出力する第２レーザ光源５２を備えている。第１レーザ光源５１と第２レーザ光源５２は、約１００μｍ離れて略平行に設けられ、１つの半導体レーザ素子５０としてワンチップ化されている。
【００１８】
半導体レーザ素子５０の光出射面に対向するように、少なくとも半導体レーザ素子５０の光出射面に対向する部分が平行平板状の回折光学素子５３が設けられている。回折光学素子５３の半導体レーザ素子５０の光出射面に対向する面には、例えばＤＶＤに適応する第１レーザビームを回折させて０次回折光によるメインビームと±１次回折光によるサブビームの３つのビームに分離するための第１回折格子が形成されている。また、回折光学素子５３の半導体レーザ素子５０の光出射面に対向する面とは反対側の面には、例えばＣＤに適応する第２レーザビームを回折させて０次回折光によるメインビームと±１次回折光によるサブビームの３つのビームに分離するための第２回折格子が形成されている。
【００１９】
半導体レーザ素子５０と回折光学素子５３とを結ぶ光軸の延長上には、回折光学素子５３により分離された３つのビームの一部を透過させると共に、残りを略直角方向に反射させるハーフミラー５４が設けられている。本実施の形態では、ハーフミラー５４により直角に曲げられた光軸が、光ディスク２のデータ記録面に対して垂直となるように設定されている。ハーフミラー５４により直角に曲げられた光軸上には、ハーフミラー５４により反射された３つのビームをそれぞれ平行ビーム化するコリメータレンズ５５と、コリメータレンズ５５による平行ビームを光ディスク２のデータ記録面上に収束させる対物レンズ５６が設けられている。さらに、ハーフミラー５４により直角に曲げられた光軸の光ディスク２とは反対側の延長上には、光ディスク２により反射され、対物レンズ５６及びコリメータレンズ５５により収束され、さらにハーフミラー５４を透過した反射ビームを受光する受光素子５７が設けられている。
【００２０】
なお、各構成要素の配置はこれに限定されるものではなく、図３に示すように、光ディスク２のデータ記録面に垂直な光軸上に半導体レーザ素子５０及び回折光学素子５３を配置し、ハーフミラー５４により光ディスク２のデータ記録面に平行な方向に曲げられた光軸上に受光素子５７を配置してもよい。
【００２１】
次に、回折光学素子５３に形成された第１回折格子及び第２回折格子の格子溝の方向について説明する。一般的に、ＣＤを再生する際のトラッキングエラーを検出するために、いわゆる３ビーム方式を利用する。また、ＤＶＤを再生する際には、例えばプッシュプル法などを利用することができる。いずれの場合も、回折格子を用いてレーザビームを回折させ、０次回折光によるメインビームと±１次回折光によるサブビームの３つのビームを利用する。
【００２２】
例えば特許文献１などに示された従来の光ディスク装置における光ディスク上に収束された３つのビームの位置と光ディスク上のトラックの関係を図４に示す。なお、図４中、光ディスク上のトラックを平行な直線４０として描いている。また、比較を容易にするために、ＤＶＤに対応し、第１回折格子により回折された第１レーザビームの０次回折光によるメインビームＤ０と、ＣＤに対応し、第２回折格子により回折された第２レーザビームの０次回折光によるメインビームＣ０を同じ位置に描いている。符号＋Ｄ１及び−Ｄ１は、それぞれ、ＤＶＤに対応し、第１回折格子により回折された第１レーザビームの＋１次回折光及び−１次回折光によるサブビームの位置を示す。また、符号＋Ｃ１及び−Ｃ１は、それぞれ、ＣＤに対応し、第２回折格子により回折された第２レーザビームの＋１次回折光及び−１次回折光によるサブビームの位置を示す。
【００２３】
図４からわかるように、従来の光ディスク装置では、光ディスク上において、第１回折格子により回折された第１レーザビームの＋１次回折光＋Ｄ１、０次回折光Ｄ０及び−１次回折光−Ｄ１を結ぶ直線ＬＤが光ディスク上のトラックと交差する方向（トラック４０直線とＬＤのなす角度をφＤとする）と、第２回折格子により回折された第２レーザビームの＋１次回折光＋Ｃ１、０次回折光Ｃ０及び−１次回折光−Ｃ１を結ぶ直線ＬＣが光ディスク上のトラック４０と交差する方向（トラック４０と直線ＬＣのなす角度をφＣとする）と同じなるように、第１回折格子及び第２回折格子の格子溝の方向が設定されている。そのため、特許文献１に記載されているように、第１回折格子の格子溝と第２回折格子の格子溝のなす角度（φＣ−φＤ）が０．６８度と小さくなり、第１回折格子により回折された光と第２回折格子により回折された光が干渉する。そして、ＣＤの場合、±１次回折光によるサブビームの強度比が大きくなり、トラッキングエラー信号の誤差が大きくなるという問題が生じる。
【００２４】
次に、本実施の形態に係る光ディスク装置１における光ディスク２上に収束された３つのビームの位置と光ディスク２上のトラック４０の関係を図５に示す。なお、図５中、上記図４と同じ符号は同じものを示している。
【００２５】
図５からわかるように、本実施の形態に係る光ディスク装置１では、光ディスク２上において、第１回折格子により回折された第１レーザビームの＋１次回折光＋Ｄ１、０次回折光Ｄ０及び−１次回折光−Ｄ１を結ぶ直線ＬＤが光ディスク上のトラック４０と交差する方向と、第２回折格子により回折された第２レーザビームの＋１次回折光＋Ｃ１、０次回折光Ｃ０及び−１次回折光−Ｃ１を結ぶ直線ＬＣが光ディスク上のトラック４０と交差する方向とが逆になるように、第１回折格子及び第２回折格子の格子溝の方向が設定されている。そのため、第１回折格子の格子溝と第２回折格子の格子溝のなす角度（φＣ＋φＤ）が約１．８度となり、従来のものに比べて大きくなる。そのため、第１回折格子により回折された光と第２回折格子により回折された光が干渉する可能性が低くなり、ＣＤの場合、±１次回折光によるサブビームの強度比が小さくなり、トラッキングエラー信号の誤差を小さくすることができる。その結果、第１回折格子による回折光と第２回折格子による回折光の干渉の影響が低減され、トラッキングエラー信号の検出精度が高くなるので、光ピックアップ５及びそれを用いた光ディスク装置１の性能が安定する。
【００２６】
従来の回折光学素子の一例を図６に示す。また、本実施の形態に係る回折光学素子５３の一例を図７に示す。なお、図６及び図７において、光ディスク２のトラックの方向に対して第１回折格子の格子溝Ｇ１及び第２回折格子の格子溝Ｇ２がなす角度φＣ及びφＤを、実際の角度よりも大きく誇張して描いている。図６及び図７を比較してわかるように、回折光学素子５３自体は従来の回折光学素子の格子溝の方向を変更しただけであり、製造工程や製造コストは従来のものと変わらない。なお、トラッキングエラー信号を検出する際、受光素子の各受光領域から出力される信号の演算方法を若干変更する必要があるが、演算プログラムの書き換えにより対処することができる。結果的に、１つの光学系を用いて波長の異なる第１レーザビーム及び第２レーザビームをそれぞれ対応する第１光ディスク及び第２光ディスク上に収束させ、かつ光ディスクからの反射ビームを受光素子上に収束させることができ、光ピックアップ５及びそれを用いた光ディスク装置１の小型軽量化及び低コスト化が可能となる。
【００２７】
なお、上記実施の形態の説明において、光ディスク装置の一例としてＤＶＤレコーダを例示したが、本発明はこれに限定されるものではなく、ＤＶＤプレーヤなど、仕様の異なる複数種類の光ディスクに対してデータの読み出し及び／又は記録が可能な光ディスク装置全般に適用することができる。また、光ディスクもＤＶＤやＣＤなどに限定されず、将来実用化されるであろう新規なフォーマットの光ディスクにも対応できることは言うまでもない。
【図面の簡単な説明】
【００２８】
【図１】本発明の一実施の形態に係る光ディスク装置の構成を示すブロック図。
【図２】上記光ディスク装置における光ピックアップの構成を示す図。
【図３】上記光ディスク装置における光ピックアップの変形例の構成を示す図。
【図４】従来の光ディスク装置における光ディスク上に収束された３つのビームの位置と光ディスク上のトラックの関係を示す図。
【図５】上記一実施の形態に係る光ディスク装置における光ディスク上に収束された３つのビームの位置と光ディスク上のトラックの関係を示す図。
【図６】従来の回折光学素子の第１回折格子及び第２回折格子の各格子溝のなす角度を説明するための図。
【図７】上記一実施の形態に係る回折光学素子の第１回折格子及び第２回折格子の各格子溝のなす角度を説明するための図。
【符号の説明】
【００２９】
１  光ディスク装置
２  光ディスク
５  光ピックアップ
５０  半導体レーザ素子
５１  第１レーザ光源
５２  第２レーザ光源
５３  回折光学素子
５４  ハーフミラー
５５  コリメータレンズ
５６  対物レンズ
５７  受光素子
Ｄ０    第１回折格子により回折された第１レーザビームの０次回折光（メインビーム）
＋Ｄ１  第１回折格子により回折された第１レーザビームの＋１次回折光（サブビーム）
−Ｄ１  第１回折格子により回折された第１レーザビームの−１次回折光（サブビーム）
Ｃ０    第２回折格子により回折された第２レーザビームの０次回折光（メインビーム）
＋Ｃ１  第２回折格子により回折された第２レーザビームの＋１次回折光（サブビーム）
−Ｃ１  第２回折格子により回折された第２レーザビームの−１次回折光（サブビーム）
Ｇ１  第１回折格子の格子溝
Ｇ２  第２回折格子の格子溝
ＬＤ  第１回折格子により回折された第１レーザビームの＋１次回折光＋Ｄ１、０次回折光Ｄ０及び−１次回折光−Ｄ１を結ぶ直線
ＬＣ  第２回折格子により回折された第２レーザビームの＋１次回折光＋Ｃ１、０次回折光Ｃ０及び−１次回折光−Ｃ１を結ぶ直線
φＤ  光ディスクのトラックと直線ＬＤのなす角度
φＣ  光ディスクのトラックと直線ＬＣのなす角度
【図１】
2006040316.tif 000003
【図２】
2006040316.tif 000004
【図３】
2006040316.tif 000005
【図４】
2006040316.tif 000006
【図５】
2006040316.tif 000007
【図６】
2006040316.tif 000008
【図７】
2006040316.tif 000009